(57)【要約】【課題】非常時における有用性を向上させた給電装置を提供する。【解決手段】商用電源２０に接続される汎用電源回路２１０と、蓄電装置３０に接続される非常用電源回路２３０と、非常用電源回路２３０から受電して点灯する非常用ＬＥＤ２４０と、汎用電源回路２１０及び非常用電源回路２３０の両方から受電可能であって、モバイル機器２に給電するＵＳＢコネクタ２７０と、ＵＳＢコネクタ２７０への給電元を汎用電源回路２１０と非常用電源回路２３０とで切り換える電源切換スイッチ２５０と、を具備する。【選択図】図３
2017135776.tif 000002
【特許請求の範囲】
【請求項１】
商用電源に接続される第一電源回路と、
蓄電装置に接続される第二電源回路と、
前記第二電源回路から受電して点灯する第二電源照明部と、
前記第一電源回路及び前記第二電源回路の両方から受電可能であって、電気機器に給電する給電部と、
前記給電部への給電元を前記第一電源回路と前記第二電源回路とで切り換える電源切換部と、
を具備する給電装置。
【請求項２】
前記第二電源照明部は、前記蓄電装置が前記第二電源回路に電気を供給しているとき、常に点灯するように構成されている、
請求項１に記載の給電装置。
【請求項３】
前記第一電源回路から受電して点灯する第一電源照明部をさらに具備する、
請求項１又は請求項２に記載の給電装置。
【請求項４】
前記第一電源照明部の点灯と消灯とを切り換える照明切換部をさらに具備する、
請求項３に記載の給電装置。
【請求項５】
前記第二電源照明部は、前記電源切換部の近傍に配置されている、
請求項１から請求項４までのいずれか一項に記載の給電装置。
【請求項６】
前記給電部が前記第一電源回路又は前記第二電源回路から受電していることを表示する給電可能表示部をさらに具備する、
請求項１から請求項５までのいずれか一項に記載の給電装置。
【請求項７】
前記給電可能表示部は、前記給電部の近傍に配置されている、
請求項６に記載の給電装置。
【請求項８】
前記電気機器を支持する支持部をさらに具備する、
請求項１から請求項７までのいずれか一項に記載の給電装置。
【請求項９】
壁面に取り付けるための取付部をさらに具備する、
請求項１から請求項８までのいずれか一項に記載の給電装置。
【発明の詳細な説明】
【技術分野】
【０００１】
本発明は、電気機器に給電する給電装置の技術に関する。
【背景技術】
【０００２】
従来、電気機器に給電する給電装置の技術は公知となっている。例えば、特許文献１に記載の如くである。
【０００３】
特許文献１には、各種の基板を内蔵する筐体と、筐体に固定されポータブルコンピュータを支持するスタンドとを具備するクレイドル装置が記載されている。前記筐体の底壁にはコネクタが取り付けられ、当該ポータブルコンピュータのコネクタとクレイドル装置のコネクタとを接続することで、ポータブルコンピュータを充電することができる。
【先行技術文献】
【特許文献】
【０００４】
【特許文献１】特開２０１１−２４８９２９号公報
【発明の概要】
【発明が解決しようとする課題】
【０００５】
しかしながら、特許文献１に記載の技術は、停電等の非常時における有用性という点で十分ではなかった。
【０００６】
本発明は以上の如き状況に鑑みてなされたものであり、その解決しようとする課題は、非常時における有用性を向上させた給電装置を提供することである。
【課題を解決するための手段】
【０００７】
本発明の解決しようとする課題は以上の如くであり、次にこの課題を解決するための手段を説明する。
【０００８】
即ち、商用電源に接続される第一電源回路と、蓄電装置に接続される第二電源回路と、前記第二電源回路から受電して点灯する第二電源照明部と、前記第一電源回路及び前記第二電源回路の両方から受電可能であって、電気機器に給電する給電部と、前記給電部への給電元を前記第一電源回路と前記第二電源回路とで切り換える電源切換部と、を具備するものである。
【０００９】
前記第二電源照明部は、前記蓄電装置が前記第二電源回路に電気を供給しているとき、常に点灯するように構成されているものであってもよい。
このような構成により、非常時に第二電源照明部を点灯させることができる。
【００１０】
前記第一電源回路から受電して点灯する第一電源照明部をさらに具備するものであってもよい。
このような構成により、通常時に照明として使用することができる。
【００１１】
前記第一電源照明部の点灯と消灯とを切り換える照明切換部をさらに具備するものであってもよい。
このような構成により、必要に応じて第一電源照明部の点灯と消灯とを切り換えることができる。
【００１２】
前記第二電源照明部は、前記電源切換部の近傍に配置されているものであってもよい。
このような構成により、非常時に電源切換部を視認し易くすることができる。
【００１３】
前記給電部が前記第一電源回路又は前記第二電源回路から受電していることを表示する給電可能表示部をさらに具備するものであってもよい。
このような構成により、給電可能かどうかを一目で知ることができる。
【００１４】
前記給電可能表示部は、前記給電部の近傍に配置されているものであってもよい。
このような構成により、電気機器を給電部に接続しようとする際に、給電可能かどうかを視認し易くすることができる。
【００１５】
前記電気機器を支持する支持部をさらに具備するものであってもよい。
このような構成により、電気機器を支持した状態で給電することができる。
【００１６】
壁面に取り付けるための取付部をさらに具備するものであってもよい。
このような構成により、壁面に取り付けて使用することができる。
【発明の効果】
【００１７】
非常時における有用性を向上させることができる。
【図面の簡単な説明】
【００１８】
【図１】一実施形態に係る給電装置の使用状態を示す正面図。
【図２】一実施形態に係る給電装置の使用状態を示す側面図。
【図３】一実施形態に係る給電装置の電気回路を示すブロック図。
【図４】一実施形態に係る給電装置の正面図。
【図５】一実施形態に係る給電装置の底面図。
【図６】一実施形態に係る給電装置の筐体の背面斜視図。
【発明を実施するための形態】
【００１９】
以下では、図中の矢印に基づいて、前後方向、左右方向及び上下方向を定義して説明を行う。
【００２０】
まず、図１及び図２を用いて、第一実施形態に係る給電装置１０が使用される給電システム１の構成について説明する。
【００２１】
給電システム１は、電気機器に給電するためのシステムである。給電システム１は、主として給電装置１０、商用電源２０及び蓄電装置３０から構成される。
【００２２】
給電装置１０は、電気機器に給電するためのものである。本実施形態においては、給電装置１０は、モバイル機器２を充電するために用いられる。給電装置１０は、例えば、ホテル、共同住宅及び戸建住宅等の建物で使用される。給電装置１０は、部屋の壁面Ｗに固定された状態で使用される。当該建物には、商用電源２０及び蓄電装置３０が設置されている。部屋の壁面Ｗにはコンセント２０ｂが配置されており、当該コンセント２０ｂと商用電源２０とを接続するケーブル２０ａを介して、商用電源２０からの電力がコンセント２０ｂに送られる。
【００２３】
給電装置１０は、ＡＣアダプタ１０ａ及びＡＣアダプタケーブル１０ｂを介して、コンセント２０ｂと接続される。これにより、給電装置１０は、商用電源２０から受電することができる。また、給電装置１０は、ケーブル３０ａを介して、蓄電装置３０と接続される。これにより、給電装置１０は、蓄電装置３０から受電することができる。
【００２４】
給電装置１０には、モバイル機器２が載置される。当該モバイル機器２は、ＵＳＢケーブル４０ａを介して給電装置１０に接続される。これにより、モバイル機器２を充電することができる。また、モバイル機器２を給電装置１０に載置した状態で、動画等を見ることができる。給電装置１０は、筐体１００及び電子部品モジュール２００を具備する。
【００２５】
以下では、図３を用いて、第一実施形態に係る給電装置１０の電子部品モジュール２００の構成について説明する。なお、図３においては、ケーブル類の図示を省略しており、以下の説明においてもケーブル類の説明は適宜省略する。
【００２６】
電子部品モジュール２００は、給電装置１０の電子部品群を構成するものである。電子部品モジュール２００は、汎用電源回路２１０、汎用ＬＥＤ２２０、非常用電源回路２３０、非常用ＬＥＤ２４０、電源切換スイッチ２５０、充電可能表示用ＬＥＤ２６０及びＵＳＢコネクタ２７０を具備する。
【００２７】
汎用電源回路２１０は、商用電源２０を電源とする電源回路である。汎用電源回路２１０は、主に商用電源２０が使用可能な状態である通常時に使用される。汎用電源回路２１０は、上流側においてＡＣアダプタ１０ａを介して商用電源２０に接続される。汎用電源回路２１０は、ＤＣジャック２１１、ヒューズ２１２及びＬＥＤ切換スイッチ２１３を具備する。
【００２８】
ＤＣジャック２１１は、ＡＣアダプタケーブル１０ｂの端部に設けられたプラグが差し込まれる部分である。ＤＣジャック２１１には、ＡＣアダプタ１０ａによって交流から直流に変換された商用電源２０の電力が入力される。
【００２９】
ヒューズ２１２は、過電流が付加されたときに電気回路のダメージを軽減するためのものである。ヒューズ２１２は、ＤＣジャック２１１の下流側に配置される。
【００３０】
ＬＥＤ切換スイッチ２１３は、下流側に電力を供給する状態（オン）と、下流側に電力を供給しない状態（オフ）とを切り換えるものである。ＬＥＤ切換スイッチ２１３は、ヒューズ２１２の下流側に配置される。これにより、ＬＥＤ切換スイッチ２１３は、当該ＬＥＤ切換スイッチ２１３の下流側に配置された、後述する汎用ＬＥＤ２２０の点灯と消灯とを切り換えることができる。
【００３１】
汎用ＬＥＤ２２０は、通常時に照明として使用されるものである。汎用ＬＥＤ２２０は、汎用電源回路２１０（ＬＥＤ切換スイッチ２１３）の下流側に配置される。その結果、汎用ＬＥＤ２２０は、ＬＥＤ切換スイッチ２１３を介して商用電源２０に接続される。これにより、汎用ＬＥＤ２２０は、ＬＥＤ切換スイッチ２１３がオンになると点灯し、ＬＥＤ切換スイッチ２１３がオフになると消灯することとなる。
【００３２】
非常用電源回路２３０は、蓄電装置３０を電源とする電源回路である。非常用電源回路２３０は、主に停電等の非常時に使用される。非常用電源回路２３０は、上流側において蓄電装置３０に接続される。非常用電源回路２３０は、受電端子２３１、ヒューズ２３２及びＤＣ／ＤＣコンバータ２３３を具備する。
【００３３】
受電端子２３１は、蓄電装置３０から受電する部分である。受電端子２３１は、ケーブル３０ａを介して蓄電装置３０と接続される。
【００３４】
ヒューズ２３２は、過電流が付加されたときに電気回路のダメージを軽減するためのものである。ヒューズ２３２は、受電端子２３１の下流側に配置される。
【００３５】
ＤＣ／ＤＣコンバータ２３３は、受電端子２３１に入力された電圧を、後述するＵＳＢコネクタ２７０に供給するための電圧に降圧するものである。ＤＣ／ＤＣコンバータ２３３は、ヒューズ２３２の下流側に配置される。
【００３６】
非常用ＬＥＤ２４０は、停電等の非常時に照明として使用されるものである。非常用ＬＥＤ２４０は、非常用電源回路２３０（ＤＣ／ＤＣコンバータ２３３）の下流側に配置される。その結果、非常用ＬＥＤ２４０は、非常用電源回路２３０を介して蓄電装置３０に接続される。これにより、非常用ＬＥＤ２４０は、蓄電装置３０が非常用電源回路２３０に電力（電気）を供給しているとき、常に点灯することとなる。
【００３７】
電源切換スイッチ２５０は、後述するＵＳＢコネクタ２７０への給電元を商用電源２０と蓄電装置３０とで切り換えるものである。電源切換スイッチ２５０は、汎用電源回路２１０及び非常用電源回路２３０の両方に接続される。汎用電源回路２１０においては、ヒューズ２１２とＬＥＤ切換スイッチ２１３との間で配線が分岐しており、その分岐した配線に電源切換スイッチ２５０が接続される。一方、非常用電源回路２３０においては、ＤＣ／ＤＣコンバータ２３３の下流側（ＤＣ／ＤＣコンバータ２３３と非常用ＬＥＤ２４０との間）で配線が分岐しており、その分岐した配線に電源切換スイッチ２５０が接続される。電源切換スイッチ２５０は、商用電源２０から供給される電力を下流側に供給する状態と、蓄電装置３０から供給される電力を下流側に供給する状態とを切り換え可能に構成される。電源切換スイッチ２５０は、商用電源２０から供給される電力を下流側に供給可能な状態のときは、蓄電装置３０から供給される電力を下流側に供給しない。一方、電源切換スイッチ２５０は、蓄電装置３０から供給される電力を下流側に供給可能な状態のときは、商用電源２０から供給される電力を下流側に供給しない。
【００３８】
充電可能表示用ＬＥＤ２６０は、後述するＵＳＢコネクタ２７０が汎用電源回路２１０（商用電源２０）又は非常用電源回路２３０（蓄電装置３０）から受電していることを表示するものである。充電可能表示用ＬＥＤ２６０は、電源切換スイッチ２５０の下流側に接続される。その結果、充電可能表示用ＬＥＤ２６０は、電源切換スイッチ２５０が商用電源２０からの電力又は蓄電装置３０からの電力を下流側に供給している状態であるとき、点灯することとなる。これにより、使用者は、充電可能表示用ＬＥＤ２６０が点灯しているとき、モバイル機器２を充電可能な状態であると判断することができる。
【００３９】
ＵＳＢコネクタ２７０は、モバイル機器２と接続されて当該モバイル機器２に給電する部分である。ＵＳＢコネクタ２７０は、モバイル機器２と接続可能に構成される。本実施形態においては、ＵＳＢコネクタ２７０は、ＵＳＢケーブル４０ａを介してモバイル機器２と接続される。ＵＳＢコネクタ２７０は、充電可能表示用ＬＥＤ２６０の下流側に配置される。これにより、ＵＳＢコネクタ２７０は、商用電源２０又は蓄電装置３０から受電可能に構成される。ＵＳＢコネクタ２７０に給電された電力がモバイル機器２に供給されることで、当該モバイル機器２が充電される。
【００４０】
次に、図４から図６を用いて、第一実施形態に係る給電装置１０の筐体１００の構成及び電子部品モジュール２００の各電子部品の配置について説明する。
【００４１】
筐体１００は、給電装置１０の筐体を構成し、電子部品モジュール２００を収容する部分である。筐体１００は、主として本体部１１０、支持部１２０及び取付孔１３０を具備する。
【００４２】
本体部１１０は、筐体１００の主たる構造体を構成するものである。本体部１１０は、背面が開放された箱状に形成される。本体部１１０は、正面視（背面視）略矩形状に形成される。本体部１１０の前面は、上方へ向かうに従い後方へ傾斜するように形成される（図２参照）。本体部１１０には、通気孔１１０ａ、上凹部１１０ｂ及び下凹部１１０ｃが形成される。
【００４３】
通気孔１１０ａは、本体部１１０の左側面を左右方向に貫通するように形成される。通気孔１１０ａにより筐体１００の内部と外部との通気性を向上させることで、筐体１００の内部に配置された電子部品モジュール２００の冷却を図ることができる。
【００４４】
上凹部１１０ｂは、本体部１１０の前上部が後方に凹まされることにより形成される部分である。上凹部１１０ｂは、本体部１１０の左右中央に形成される。上凹部１１０ｂは、前方が開放されるように形成される。
【００４５】
下凹部１１０ｃは、本体部１１０の前下部が後方に凹まされることにより形成される部分である。下凹部１１０ｃは、本体部１１０の左右中央に形成される。下凹部１１０ｃは、前方及び下方が開放されるように形成される。
【００４６】
支持部１２０は、モバイル機器２を支持するものである。支持部１２０は、側面視略Ｌ字状に形成される（図２参照）。支持部１２０は、本体部１１０の前下部に左右に１つずつ形成される。左右の支持部１２０の間には、ＵＳＢケーブル４０ａが挿通可能なように隙間が形成される。
【００４７】
取付孔１３０は、給電装置１０を壁面Ｗに取り付けるためのものである。取付孔１３０は、本体部１１０のうち上凹部１１０ｂ及び下凹部１１０ｃが形成された部分を前後方向に貫通するように形成される。取付孔１３０は、上凹部１１０ｂ及び下凹部１１０ｃにそれぞれ２つずつ、計４つ形成される。壁面Ｗには、取付孔１３０と同じピッチでネジ孔が形成されたスイッチボックス（不図示）が設置されており、取付孔１３０に前方からボルトを挿通して当該ネジ孔に係合させることで、給電装置１０を壁面Ｗに取り付けることができる。
【００４８】
図２に示す如く、本体部１１０の右側の側面には、上から順に、電源切換スイッチ２５０、ＬＥＤ切換スイッチ２１３、充電可能表示用ＬＥＤ２６０及びＵＳＢコネクタ２７０が配置される。充電可能表示用ＬＥＤ２６０は、ＵＳＢコネクタ２７０のすぐ上に（近傍に）配置される。
【００４９】
本体部１１０の前面には、汎用ＬＥＤ２２０及び非常用ＬＥＤ２４０が配置される。
【００５０】
汎用ＬＥＤ２２０は、本体部１１０の前面の左下部（左側の支持部１２０の下方）に配置される。汎用ＬＥＤ２２０は、左右方向に互いに間隔をおいて３つ配置される。
【００５１】
非常用ＬＥＤ２４０は、本体部１１０の前面の右下部（右側の支持部１２０の下方）に配置される。つまり、非常用ＬＥＤ２４０は、左右方向において、電源切換スイッチ２５０が配置された側面と近い方に配置される。非常用ＬＥＤ２４０は、左右方向に互いに間隔をおいて３つ配置される。
【００５２】
本体部１１０の下面（底面）には、ＤＣジャック２１１が配置される。
【００５３】
本体部１１０の背面には、受電端子２３１が配置される（図２参照）。受電端子２３１は、ケーブル３０ａを介して蓄電装置３０と接続される。
【００５４】
次に、図３を用いて、第一実施形態に係る給電装置１０の機能について説明する。
【００５５】
通常時は、電源切換スイッチ２５０は、商用電源２０からの電力を下流側に供給する状態とされている。このとき、ＵＳＢコネクタ２７０には、商用電源２０からの電力が供給され、当該電力によりモバイル機器２を充電することができる。
【００５６】
このとき、電源切換スイッチ２５０とＵＳＢコネクタ２７０の間に配置された充電可能表示用ＬＥＤ２６０は、商用電源２０からの電力により点灯する。これにより、使用者は、ＵＳＢコネクタ２７０においてモバイル機器２を充電可能な状態であることを知ることができる。換言すれば、充電可能表示用ＬＥＤ２６０が点灯していないときは、使用者は、商用電源２０からＵＳＢコネクタ２７０に電力が供給されていないと判断することができる。また、充電可能表示用ＬＥＤ２６０はＵＳＢコネクタ２７０の近傍に配置されているので、使用者は、ＵＳＢケーブル４０ａをＵＳＢコネクタ２７０に接続しようとする際に、充電可能かどうかを視認し易い。
【００５７】
また、商用電源２０から汎用電源回路２１０に電力が供給されているとき、ＬＥＤ切換スイッチ２１３に商用電源２０からの電力が供給されている。よって、使用者は、ＬＥＤ切換スイッチ２１３をオンにすることにより、汎用ＬＥＤ２２０を点灯させることができる。これにより、使用者は、汎用ＬＥＤ２２０を照明として利用し、読書やモバイル機器２での動画鑑賞等を楽しむことができる。また、不要な場合は、ＬＥＤ切換スイッチ２１３をオフにすることで、汎用ＬＥＤ２２０を消灯させることができる。これにより、無駄な電力消費を抑えることができる。
【００５８】
一方、停電で商用電源２０が使用できなくなると、ＵＳＢコネクタ２７０に電力が供給されないので、給電装置１０を充電することができなくなる。このとき、停電で周りが暗くても非常用ＬＥＤ２４０は点灯している。このため、使用者は、非常用ＬＥＤ２４０の光によって電源切換スイッチ２５０を視認することができる。よって、使用者は、電源切換スイッチ２５０を切り換えることができ、これによりＵＳＢコネクタ２７０に蓄電装置３０からの電力が供給されるようになる。したがって、使用者は、蓄電装置３０からの電力を用いて、モバイル機器２を充電することができる。
【００５９】
このとき、充電可能表示用ＬＥＤ２６０は、蓄電装置３０からの電力により点灯する。これにより、使用者は、ＵＳＢコネクタ２７０においてモバイル機器２を充電可能な状態であることを知ることができる。換言すれば、充電可能表示用ＬＥＤ２６０が点灯していないときは、使用者は、蓄電装置３０からＵＳＢコネクタ２７０に電力が供給されていないと判断することができる。
【００６０】
また、非常用ＬＥＤ２４０には、電源切換スイッチ２５０の状態に因らず、蓄電装置３０から電力が供給されている。よって、非常用ＬＥＤ２４０は、蓄電装置３０が非常用電源回路２３０に電気を供給している限り、常に点灯している。したがって使用者は、停電で周りが暗くても、非常用ＬＥＤ２４０を照明として電源切換スイッチ２５０を視認し易くなる。また、非常用ＬＥＤ２４０は電源切換スイッチ２５０の近傍（左右方向において電源切換スイッチ２５０が配置された側面と近い方）に配置されているので、さらに電源切換スイッチ２５０を視認し易くなる。よって、停電時でも電源切換スイッチ２５０を切り換え易くすることができる。
【００６１】
このように、本実施形態に係る給電装置１０は、通常時はもちろんのこと非常時（停電時）においても、モバイル機器２を充電することができるため、特に非常時において有用である。さらに、非常用ＬＥＤ２４０を非常灯として使用できるため、周りの状況を把握し易くすることができ、電源切換スイッチ２５０の操作も容易とすることができる。
【００６２】
また、本実施形態に係る給電装置１０においては、商用電源２０から電力が供給される汎用電源回路２１０と、蓄電装置３０から電力が供給される非常用電源回路２３０とが、筐体１００の内部に配置されている。そして、筐体１００の内部に配置された電源切換スイッチ２５０の切り換えによって、ＵＳＢコネクタ２７０への給電元を、汎用電源回路２１０からの電力と非常用電源回路２３０からの電力とで切り換えることができる。よって、使用者は、ホテルやマンション等の複数の部屋がある建物の場合でも、各部屋に供給される電力の給電元（大元の電源）の切り換えを待つことなく、自分で電源切換スイッチ２５０を切り換えることで、給電装置１０を使用可能（モバイル機器２を充電可能）な状態とすることができる。
【００６３】
また、本実施形態に係る給電装置１０においては、給電装置１０の外部（部屋の外部）に、商用電源２０からの電力と蓄電装置３０からの電力とを切り換えるための設備を設ける必要がない。したがって、当該設備を設けるための建物の煩雑な工事（作業）が不要となる。したがって、蓄電装置３０さえホテルに設置されていれば、給電装置１０を容易に設置することができる。
【００６４】
以上の如く、本実施形態に係る給電装置１０は、商用電源２０に接続される汎用電源回路２１０（第一電源回路）と、蓄電装置３０に接続される非常用電源回路２３０（第二電源回路）と、前記非常用電源回路２３０から受電して点灯する非常用ＬＥＤ２４０（第二電源照明部）と、前記汎用電源回路２１０及び非常用電源回路２３０の両方から受電可能であって、モバイル機器２（電気機器）に給電するＵＳＢコネクタ２７０（給電部）と、前記ＵＳＢコネクタ２７０への給電元を前記汎用電源回路２１０と前記非常用電源回路２３０とで切り換える電源切換スイッチ２５０（電源切換部）と、を具備するものである。
このように構成することにより、非常時における有用性を向上させることができる。
【００６５】
また、前記非常用ＬＥＤ２４０は、前記蓄電装置３０が前記非常用電源回路２３０に電気を供給しているとき、常に点灯するように構成されているものである。
このように構成することにより、非常時に非常用ＬＥＤ２４０を点灯させることができる。
【００６６】
また、前記給電装置１０は、前記汎用電源回路２１０から受電して点灯する汎用ＬＥＤ２２０（第一電源照明部）をさらに具備するものである。
このように構成することにより、通常時に照明として使用することができる。
【００６７】
また、前記給電装置１０は、前記汎用ＬＥＤ２２０の点灯と消灯とを切り換えるＬＥＤ切換スイッチ２１３（照明切換部）をさらに具備するものである。
このように構成することにより、必要に応じて汎用ＬＥＤ２２０の点灯と消灯とを切り換えることができる。
【００６８】
また、前記非常用ＬＥＤ２４０は、前記電源切換スイッチ２５０の近傍に配置されているものである。
このように構成することにより、非常時に電源切換スイッチ２５０を視認し易くすることができる。
【００６９】
また、前記給電装置１０は、前記ＵＳＢコネクタ２７０が前記汎用電源回路２１０又は前記非常用電源回路２３０から受電していることを表示する充電可能表示用ＬＥＤ２６０（給電可能表示部）をさらに具備するものである。
このように構成することにより、給電可能かどうかを一目で知ることができる。
【００７０】
また、前記充電可能表示用ＬＥＤ２６０は、前記ＵＳＢコネクタ２７０の近傍に配置されているものである。
このように構成することにより、モバイル機器２をＵＳＢコネクタ２７０に接続しようとする際に、給電可能かどうかを視認し易くすることができる。
【００７１】
また、前記給電装置１０は、前記モバイル機器２を支持する支持部１２０をさらに具備するものである。
このように構成することにより、モバイル機器２を支持した状態で給電することができる。
【００７２】
また、前記給電装置１０は、壁面Ｗに取り付けるための取付孔１３０（取付部）をさらに具備するものである。
このように構成することにより、壁面Ｗに取り付けて使用することができる。
【００７３】
以上、本発明の実施形態を説明したが、本発明は上記構成に限定されるものではなく、特許請求の範囲に記載された発明の範囲内で種々の変更が可能である。
【００７４】
例えば、本実施形態においては、給電装置１０はモバイル機器２を充電するものとしたが、本発明はこれに限定されるものではなく、種々の電気機器の充電に用いることができる。また、給電装置は、機能を充電に限るものではなく、電気機器に給電するというより広い用途に使用することができる。
【００７５】
また、本実施形態においては、汎用電源回路２１０を通常時、非常用電源回路２３０を非常時に使用するものとして説明したが、本発明はこれに限定されるものではなく、必要に応じて両者を使い分けることができる。
【００７６】
また、本実施形態においては、給電部としてＵＳＢコネクタ２７０が使用されるものとしたが、給電部はこれに限定されるものではなく、モバイル機器２に給電可能な任意の形態とすることができる。
【００７７】
また、本実施形態においては、給電装置１０とモバイル機器２とがＵＳＢケーブル４０ａを介して間接的に接続されるものとしたが、給電装置１０とモバイル機器２とが直接的に接続されるものであってもよい。或いは、給電装置１０とモバイル機器２とがワイヤレスで給電（充電）できるものであってもよい。
【００７８】
また、本実施形態においては、電源切換スイッチ２５０が右側面に配置され、非常用ＬＥＤ２４０が前面の右部に配置されるものとしたが、非常用ＬＥＤ２４０と電源切換スイッチ２５０との位置関係はこれに限定されるものではない。但し、非常用ＬＥＤ２４０は、電源切換スイッチ２５０の近傍に配置されるものであることが好ましく、ここで「近傍」とは、非常用ＬＥＤ２４０と電源切換スイッチ２５０とが同じ面、或いは隣接する面に配置される場合を含むものである。
【００７９】
また、本実施形態においては、支持部１２０は側面視略Ｌ字状に形成されるものとしたが、支持部１２０の形状は限定されるものではなく、支持する電気機器の形状に合わせて適宜変更することができる。
【００８０】
また、本実施形態においては、給電装置１０は、取付孔１３０によって壁面Ｗに取り付けられるものとしたが、給電装置１０の取付部の形状はこれに限定されるものではなく、取り付ける壁面Ｗ側の取付部の形状に合わせて適宜変更することができる。
【符号の説明】
【００８１】
２      モバイル機器
１０    給電装置
２０    商用電源
３０    蓄電装置
１２０  支持部
１３０  取付孔
２１０  汎用電源回路
２２０  汎用ＬＥＤ
２３０  非常用電源回路
２４０  非常用ＬＥＤ
２５０  電源切換スイッチ
２６０  充電可能表示用ＬＥＤ
２７０  ＵＳＢコネクタ
【図１】
2017135776.tif 000003
【図２】
2017135776.tif 000004
【図３】
2017135776.tif 000005
【図４】
2017135776.tif 000006
【図５】
2017135776.tif 000007
【図６】
2017135776.tif 000008